(57)【要約】【課題】人体の各部を、任意に湾曲して変化でき、より良い比率そして造型美観の人体構造が得られ、そして、その後の彫塑作業に有利的である彫塑用人体組合構造を提供する。【解決手段】本体と四肢からなり、本体が頭部と胸部と臀部とからなり、頭部と胸部とを連接するため頚部と、胸部と臀部とを連接するための腰部に、それぞれ、任意に回転や湾曲でき、造型を調整するフレキシブル折り重ね層が設けられる。【選択図】図５
0003127538.tif 000002
【実用新案登録請求の範囲】
【請求項１】
主として、本体と四肢からなり、当該本体が、頭部と胸部と臀部とからなり、頭部と胸部とを連接するため頚部と、胸部と臀部とを連接するための腰部に、それぞれ、任意に回転や湾曲でき、造型を調整するフレキシブル折り重ね層が設けられる、
ことを特徴とする彫塑用人体組合構造。
【請求項２】
当該頚部が、前へ所定の角度に傾斜することを特徴とする請求項１に記載の彫塑用人体組合構造。
【請求項３】
当該手部の上腕と肘と手掌との間に、折り重ね層が設置されることを特徴とする請求項１に記載の彫塑用人体組合構造。
【請求項４】
当該脚部の太腿とすねとの間そしてすねと脚掌の間に折り重ね層が設置されることを特徴とする請求項１に記載の彫塑用人体組合構造。
【請求項５】
当該脚部の脚掌の前後端に、それぞれ、貫通穴が設けられることを特徴とする請求項１に記載の彫塑用人体組合構造。
【請求項６】
当該脚部の太腿の上端に、突出部が設けられることを特徴とする請求項１に記載の彫塑用人体組合構造。
【請求項７】
当該人体構造が、底座によって定位されることを特徴とする請求項１に記載の彫塑用人体組合構造。
【請求項８】
当該底座の表面において、正三角形を形成する交差点に、等距離である挿設穴が設けられることを特徴とする請求項７に記載の彫塑用人体組合構造。
【請求項９】
当該底座内部に、一本以上の定位柱が設置されることを特徴とする請求項７に記載の彫塑用人体組合構造。
【考案の詳細な説明】
【技術分野】
【０００１】
本考案は、彫塑用人体組合構造に関し、特に、フレキシブル頚部で頭部と胸部とを連接し、また、フレキシブル腰部で胸部と臀部と連接することにより、任意に頚部と腰部とを湾曲できるものに関する。
【背景技術】
【０００２】
従来の人体組合構造は、図１のように、主として、頭部１と頚部１０、胸部２、腰部２０、臀部３、両手部４及び両脚部５とからなり、当該手部４は、上腕４１と肘４２及び手掌４３からなり、脚部５は、太腿５１とすね５２及び脚掌５３からなる。組合する時、ワイヤを貫通して人体構造を形成する。当該人体構造は、部品が多く、組合する時、挟みやカッターで切り離れ、そして、ワイヤで接続するため、組立てが複雑で不便である。また、当該人体構造は、形状が非常に簡素化されたため、組み立てられた後の形状と実際の人体形状との差異が大きくて、その後の彫塑作業が、難しくなり、また、個人の好みに従って、ワイヤを湾曲して、当該人体構造の造型を調整するため、誇張する造型であれば、湾曲することにより人体構造の部品が破れることがあり、また、美観ではないや比率が正しくないことにより、その後の彫塑作業が難しくなる。
【考案の開示】
【考案が解決しようとする課題】
【０００３】
本考案の目的は、部品点数が低減され、湾曲して調整することが便利である彫塑用人体組合構造を提供する。
【課題を解決するための手段】
【０００４】
請求項１の考案は、主として、本体と四肢からなり、当該本体が、頭部と胸部と臀部とからなり、頭部と胸部とを連接するため頚部と、胸部と臀部とを連接するための腰部に、それぞれ、任意に回転や湾曲でき、造型を調整するフレキシブル折り重ね層が設けられることを特徴とする彫塑用人体組合構造である。
【０００５】
請求項２の考案は、当該頚部が、前へ所定の角度に傾斜することを特徴とする請求項１に記載の彫塑用人体組合構造である。
【０００６】
請求項３の考案は、当該手部の上腕と肘と手掌との間に、折り重ね層が設置されることを特徴とする請求項１に記載の彫塑用人体組合構造である。
【０００７】
請求項４の考案は、当該脚部の太腿とすねとの間そしてすねと脚掌の間に折り重ね層が設置されることを特徴とする請求項１に記載の彫塑用人体組合構造である。
【０００８】
請求項５の考案は、当該脚部の脚掌の前後端に、それぞれ、貫通穴が設けられることを特徴とする請求項１に記載の彫塑用人体組合構造である。
【０００９】
請求項６の考案は、当該脚部の太腿の上端に、突出部が設けられることを特徴とする請求項１に記載の彫塑用人体組合構造である。
【００１０】
請求項７の考案は、当該人体構造が、底座によって定位されることを特徴とする請求項１に記載の彫塑用人体組合構造である。
【００１１】
請求項８の考案は、当該底座の表面において、正三角形を形成する交差点に、等距離である挿設穴が設けられることを特徴とする請求項７に記載の彫塑用人体組合構造である。
【００１２】
請求項９の考案は、当該底座内部に、一本以上の定位柱が設置されることを特徴とする請求項７に記載の彫塑用人体組合構造である。
【考案を実施するための最良の形態】
【００１３】
当該本体６は、図２のように、主として、頭部６１と頚部６２、胸部６３、腰部６４及び臀部６５があり、頚部６２は、頭部６１と胸部６３とを連接し、また、前へ所定の角度に傾斜し、これにより、頭部６１が上下や左右へ回転でき、便利的且つ快速的であるだけでなく、より合理的な人体構造になる。また、腰部６４は、胸接６３と臀部６５とを連接し、これにより、体が湾曲や回転でき、また、頚部６２と同じように、扇状に類似する折り重ね層６２１と６４１が生成され、フレキシブルであるため、任意に湾曲して伸展でき、破れることがない。頭部６１の上端に、中空である内部と連通する貫通孔６１１が設けられ、また、胸部６３の上端において、両側に、中空の内部と連通する貫通孔６３１が設けられ、そして、臀部６５の底端において、両側に、中空の内部と連通する貫通孔６５１が設けられる。
【００１４】
図３は、本考案に係わる手部７の正面図であり、人体の造型に応じて、上腕７１と肘７２及び手掌７３とからなり、また、上腕７１と肘７２との間、そして、肘７２と手掌７３との間に、折り重ね層７０が設置され、これにより、肘７２と手掌とを湾曲して回転することができ、当該上腕７１の上端に設けられる貫通穴７１１が、手掌７３の末端に設けられる貫通穴７３１と連通する。脚部の構造は、図４のように、太腿８１とすね８２及び脚掌８３とからなり、当該太腿８１とすね８２との間、そして、すね８２と脚掌８３との間に、同じように折り重ね層８０が設置され、これにより、脚部８が湾曲して伸展でき、脚部８と臀部６５とを連接する箇所において、太腿８１の上端に、突出部８４（右脚が左側に、左脚が右側に）が設けられ、これにより、組み立てられた後、人体のボデーフレームに類似し、また、突出部８４に設けられる貫通穴８４１が、脚掌８３の前後端にされそれぞれ設けられた貫通穴８３１と８３２と連通する。
【００１５】
本考案は、連接ストリップにより組み立てられ、図５のように、まず、頭部６１の上端に位置する貫通孔６１１から２本の連接ストリップ８５、８６を挿入し、臀部６５まで挿入してから、それぞれ、底端の両側の貫通孔６５１から１本の連接ストリップ８５か８６を通し、また、２本の連接ストリップ８７、８８を胸部６３の上端の両側に位置する貫通孔６３１を、臀部６５の貫通孔６５１まで挿入し、胸部６３の左側の連接ストリップ８７を、臀部６５の右側の貫通孔６５１を通し、そして、胸部６３の右側の連接ストリップ８８を、臀部６５の左側の貫通孔６５１を通す。また、両手部７の上腕７１の上端に位置する貫通穴７１１から、それぞれ、連接ストリップ８７、８８を挿入して、手掌７３の末端に位置する貫通穴７３１を通し、また、脚部８の太腿８１の突出部８４に位置する貫通穴８４１から、それぞれ、臀部６５の両側に位置する貫通孔６５１の２組の連接ストリップ８５、８７と８６、８８を挿入し、そして、それぞれ、脚掌８３の前後端に位置する貫通穴８３１と８３２を通して、１本の連接ストリップが出される。
【００１６】
組み立てられた人体構造を固定するために、図６のように、環形底座９の上端に、正三角形を形成する交差点に、等距離の挿設穴９１が設けられ、これにより、異なる人体構造の造型に応じて、適当な位置にある挿設穴９１により、確実に底座９に定位され、また、当該底座の内部に、複数の定位柱９２（図７のように）が設けられ、挿設穴９１を通した連接ストリップを定位柱９２に捲き締まることにより、転落することなく堅く固定される。
【００１７】
最後に、余った連接ストリップを切って、人体構造を、必要とする造型に調整することにより、座るや立つ、走る或いは跳ねる姿勢をとることができ、そのため、本考案に係わる人体骨骼の設計により、人体の各部を、任意に湾曲して変化でき、より良い比率そして造型美観の人体構造が得られ、そして、その後の彫塑作業に有利的である。
【図面の簡単な説明】
【００１８】
【図１】従来の人体組合構造の正面図
【図２】本考案に係わる本体の側面図
【図３】本考案に係わる手部の正面図
【図４】本考案に係わる脚部の正面図
【図５】本考案を組み立てる時の概念図
【図６】本考案に係わる底座の上面図
【図７】底座の軸方向の断面図
【符号の説明】
【００１９】
従来
１      頭部
１０    頚部
２      胸部
２０    腰部
３      臀部
４      手部
４１    上腕
４２    肘
４３    手掌
５      脚部
５１    太腿
５２    すね
５３    脚掌
本考案
６      本体
６１    頭部
６１１  貫通孔
６２    頚部
６２１  折り重ね層
６３    胸部
６３１  貫通孔
６４    腰部
６４１  折り重ね層
６５    臀部
６５１  貫通孔
７      手部
７０    折り重ね層
７１    上腕
７１１  貫通穴
７２    肘
７３    手掌
７３１  貫通穴
８      脚部
８０    折り重ね層
８１    太腿
８２    すね
８３１  脚掌
８３２  脚掌
８４    突出部
８４１  脚掌
８５    連接ストリップ
８６    連接ストリップ
８７    連接ストリップ
８８    連接ストリップ
９      底座
９１    挿設穴
９２    定位柱
【図１】
0003127538.tif 000003
【図２】
0003127538.tif 000004
【図３】
0003127538.tif 000005
【図４】
0003127538.tif 000006
【図５】
0003127538.tif 000007
【図６】
0003127538.tif 000008
【図７】
0003127538.tif 000009